(57)【特許請求の範囲】
【請求項１】
ベンドミラー保持体にベンドミラーを装着してなるレーザー加工装置のベンドミラー装置において、ベンドミラー取付け基板に前記ベンドミラーが露出可能な開口を設け、該ベンドミラー取付け基板表面の一側に設けたベンドミラー開閉扉用の回転軸にベンドミラー開閉扉の一端部を回動可能に取付け、該ベンドミラー開閉扉にベンドミラー取付け穴を設け、該ベンドミラー取付け穴に前記ベンドミラーを装着したベンドミラー保持体を嵌合して設けると共に、該ベンドミラー保持体をベンドミラー開閉扉に複数の取付け機構で装着し、該ベンドミラー開閉扉の他端部に設けた係合溝に係脱自在の係止機構を前記ベンドミラー取付け基板の他側に設け、該ベンドミラー開閉扉を前記ベンドミラー開閉扉用の回転軸を軸にして開閉可能かつ固定可能に設けたことを特徴とするレーザー加工装置のベンドミラー装置。
【請求項２】
前記係止機構は、前記ベンドミラー取付け基板の他側の裏面に前記ベンドミラー開閉扉用の回転軸に平行な係止部材回転軸を回動自在に設け、該係止部材回転軸に設けた係止部材を前記ベンドミラー開閉扉に設けた係合溝に係脱可能に設けてなることを特徴とする請求項１に記載のレーザー加工装置のベンドミラー装置。
【請求項３】
前記取付け機構は、前記ベンドミラー保持体の少なくとも３カ所に設けたショルダーボルト取付穴を介してショルダーボルトを前記ベンドミラー開閉扉に設けたねじ穴に植設し、該ショルダーボルトの頭部とショルダーボルト取付穴との間に圧縮スプリングを弾装すると共に、前記ベンドミラー保持体と前記ベンドミラー開閉扉との位置関係を調整する調整ねじを前記ショルダーボルト取付け穴に隣接した位置にそれぞれ設けてなることを特徴とする請求項１に記載のレーザー加工装置のベンドミラー装置。
【発明の詳細な説明】
【０００１】
【産業上の利用分野】
本発明はレーザー加工装置のベンドミラー装置に関する。
【０００２】
【従来の技術】
レーザー加工装置においてレーザー光を反射させるのに使用する光学部品であるベンドミラーは、ベンドミラーを保持したベンドミラー保持体をレーザー加工装置本体のベンドミラー取付けベースにボルトにより直接固定している。
【０００３】
【発明が解決しようとする課題】
上述の従来のベンドミラーは、ベンドミラーを保持したベンドミラー保持体をレーザー加工装置本体のベンドミラー取付けベースにボルトにより直接固定しているので、ベンドミラーを清掃する場合には、ベンドミラー保持体をレーザー加工装置本体のベンドミラー取付けベースに固定しているボルトを取外して、ベンドミラー保持体のベンドミラーを清掃しなければならず、多数のベンドミラーを清掃する場合には清掃に手間がかかるという問題がある。また、清掃後のベンドミラーを取外し前と同じ状態に再組付けするのは容易ではないという問題があった。
【０００４】
本発明は上述のごとき問題点に鑑みてなされたもので、本発明の目的は、ベンドミラーの清掃作業または交換が容易にできると共に、清掃後のベンドミラーを容易に取外し前と同じ状態に再組付が可能なレーザー加工装置のベンドミラー装置を提供することである。
【０００５】
【課題を解決するための手段】
上記目的を達成するために請求項１に記載のレーザー加工装置のベンドミラー装置は、ベンドミラー保持体にベンドミラーを装着してなるレーザー加工装置のベンドミラー装置において、ベンドミラー取付け基板に前記ベンドミラーが露出可能な開口を設け、該ベンドミラー取付け基板表面の一側に設けたベンドミラー開閉扉用の回転軸にベンドミラー開閉扉の一端部を回動可能に取付け、該ベンドミラー開閉扉にベンドミラー取付け穴を設け、該ベンドミラー取付け穴に前記ベンドミラーを装着したベンドミラー保持体を嵌合して設けると共に、該ベンドミラー保持体をベンドミラー開閉扉に複数の取付け機構で装着し、該ベンドミラー開閉扉の他端部に設けた係合溝に係脱自在の係止機構を前記ベンドミラー取付け基板の他側に設け、該ベンドミラー開閉扉を前記ベンドミラー開閉扉用の回転軸を軸にして開閉可能かつ固定可能に設けたことを特徴とするものである。
【０００６】
また、請求項２に記載のレーザー加工装置のベンドミラー装置は、請求項１に記載のレーザー加工装置のベンドミラー装置において、前記係止機構は、前記ベンドミラー取付け基板の他側の裏面に前記ベンドミラー開閉扉用の回転軸に平行な係止部材回転軸を回動自在に設け、該係止部材回転軸に設けた係止部材を前記ベンドミラー開閉扉に設けた係合溝に係脱可能に設けてなることを特徴とするものである。
【０００７】
請求項３に記載のレーザー加工装置のベンドミラー装置は、請求項１に記載のレーザー加工装置のベンドミラー装置において、前記取付け機構は、前記ベンドミラー保持体の少なくとも３カ所に設けたショルダーボルト取付穴を介してショルダーボルトを前記ベンドミラー開閉扉に設けたねじ穴に植設し、該ショルダーボルトの頭部とショルダーボルト取付穴との間に圧縮スプリングを弾装すると共に、前記ベンドミラー保持体と前記ベンドミラー開閉扉との位置関係を調整する調整ねじを前記ショルダーボルト取付け穴に隣接した位置にそれぞれ設けてなることを特徴とするものである。
【０００８】
【作用】
請求項１または請求項２に記載のレーザー加工装置のベンドミラー装置によれば、ベンドミラーの清掃または交換のときには、ベンドミラー開閉扉に設けた係合溝に係脱自在の係止機構を開放することにより、ベンドミラーを装着したベンドミラー開閉扉をベンドミラー開閉扉用の回転軸を軸として精密な開閉動作をさせることができる。
【０００９】
また、請求項３に記載のレーザー加工装置のベンドミラー装置によれば、ベンドミラーの位置を容易にかつ精密に調整することが可能である。
【００１０】
【実施例】
次に本発明に係わるレーザー加工装置のベンドミラー装置の実施例について図面に基づいて説明する。本発明に係わるレーザー加工装置のベンドミラー装置の実施例の正面図を図１に示してある。
【００１１】
図１に示したレーザー加工装置のベンドミラー装置１は、レーザー加工装置に（図示省略）においてレーザー光を反射させてその光路を変更するために使用されるものである。
【００１２】
前記ベンドミラー装置１は、ベンドミラー取付け基板３、ベンドミラー開閉扉５、ベンドミラー保持体７、ベンドミラー９などから構成されている。図４は前記ベンドミラー保持体７へのベンドミラー９の取付け状態を示すために、図１をＩＶ−ＩＶ線に沿って断面したものである。
【００１３】
さて上記図１および図４を参照するに、ベンドミラー保持リング１１の環状の爪１３で前記ベンドミラー９の鏡面側を引掛けて前記ベンドミラー保持体７へ保持するようになっている。このとき、ベンドミラー９にかかる保持力を一定にするめに、圧縮スプリングの弾発力を利用して前記ベンドミラー保持リング１１をベンドミラー保持体７に引込むようにしてある。
【００１４】
その構造は図４の実施例に示すように、前記ベンドミラー保持体７のベンドミラー９の取付け側にベンドミラー保持リング１１が嵌合する小径段部１５と大径段部１６とを設け、この小径段部１５には前記ベンドミラー保持リング１１を嵌合してある。そしてこのベンドミラー保持リング１１には複数のねじ穴１７が設けてあり、このねじ穴１７の位置に一致する座ぐり穴を有するボルト取付け穴１９が前記ベンドミラー保持体７の外側から設けてある。
【００１５】
そして、前記ベンドミラー保持体７の小径段部１５上にベンドミラー９の裏面を当接させ、このベンドミラー９の鏡面側に前記ベンドミラー保持リング１１の環状の爪１３を引掛けるように配置し、前記ボルト取付け穴１９を介してボルト２１を前記ねじ穴１７に螺合して設け、このボルトの頭部と座ぐり穴との間にベンドミラー保持リング１１をベンドミラー保持体７側に付勢する一定の取付け荷重を有する圧縮スプリング２３を挿入してある。
【００１６】
上記構成により、前記ベンドミラー９は圧縮スプリング２３の取付け荷重により、前記ベンドミラー保持リング１１に一定の保持力で固定されることになる。なお、ベンドミラー保持リング１１とベンドミラー保持体７との間は若干の間隙（図示省略）が設けてあり、ベンドミラー９を装着した上述のベンドミラー保持体７は、前記ベンドミラー開閉扉５に対して位置調整可能に若干の間隙Ｇを持って後述の取付機構２５により取付けられている。
【００１７】
上記取付機構２５は次のように構成してある。前記ベンドミラー開閉扉５にベンドミラー取付穴２９を設け、このベンドミラー取付穴２９に、ベンドミラー９を装着した側に設けたベンドミラー保持体７の前記大径段部１６を摺動可能に嵌合してある。なおこの大径段部１６にはこの摺動部の気密を保持するためのシールリング３１が取付けてある。そして、前記ベンドミラー開閉扉５のベンドミラー取付穴２９の外周には、ほぼ９０度の間隔をおいて３個のねじ穴３３を設けてある。
【００１８】
一方ベンドミラー保持体７側には、前記ベンドミラー開閉扉５の３個のねじ穴３３に対応する９０度間隔の位置に、座ぐり穴を有する３個のショルダーボルト取付け穴３５を設けると共に、このショルダーボルト取付け穴３５に隣接してベンドミラー保持体７の位置を調整する調整ねじ用のねじ穴が設けてある。
【００１９】
上記ベンドミラー開閉扉５のねじ穴３３にショルダーボルト３７をショルダーボルトを該取付け穴を介して植設し、このショルダーボルト３７の頭部と座ぐり穴との間にベンドミラー保持体７をベンドミラー開閉扉５側に押圧する圧縮スプリング３９を設けてある。また、上記調整ねじ用のねじ穴には位置調整ねじ４１を螺合してある
取付機構２５を上記の如く構成したので、前記ベンドミラー保持体７は３か所に設けた圧縮スプリング３９によって、前記ベンドミラー開閉扉５の方に常時押圧された状態にある。この常時押圧された状態において、ショルダーボルト取付け穴３５に隣接して設けた前記３個の位置調整ねじ４１をそれぞれを回転させて適宜に進退させることにより、ベンドミラー保持体７とベンドミラー開閉扉５との間隙Ｇを調節してベンドミラー保持体７の位置を精密に調節することが可能である。
【００２０】
なお、位置調整ねじ４１の緩みを防止するために位置調整ねじ４１の取付部分には溝４３を設け、この溝４３の部分に緩み止めねじ４５を設けてあり、この緩み止めねじ４５をねじ込むことにより位置調整ねじ４１の緩みを防止するようにしてある。また、前記位置調整ねじ４１とベンドミラー開閉扉５とが接触する部分にはベンドミラー開閉扉５の表面の摩耗を少なくするために硬度の高い当て板４９を設けてある。
【００２１】
前記ベンドミラー取付け基板３には、前記ベンドミラーが露出可能な開口２７が設けてあり、ベンドミラー保持体７に装着されたベンドミラー９の鏡面４７はベンドミラー取付け基板３側内部に露出した状態にあり、ベンドミラー取付け基板３内部側からのレーザー光を受光できる状態になっている。
【００２２】
次にベンドミラー開閉扉５の開閉機構について説明する。なお図３はベンドミラー開閉扉５の開閉機構をわかりやすく示すように図１のＩＩＩ−ＩＩＩ線に沿って断面した図１の下面図。図２は図１の右側面図であり、図５は、図１のＶ−Ｖ線にそっての断面図である。
【００２３】
さて、図１〜図５を適宜参照するに、前記ベンドミラー取付け基板３の一側には一対の軸受箱５１（Ｌ，Ｒ）がボルト５３によってベンドミラー取付け基板表面に取付けてある。この軸受箱５１に設けたベアリング５５によりベンドミラー開閉扉用の回転軸５７の両側の軸端部５９が回動可能に軸支してある。前記回転軸５７の両側の軸端は段付き軸に形成してあり、小径の両軸端をベアリング５５で軸支し、一段直径の大きい部分にはにベアリング５５に隣接してダストシール６１を設けてある。
【００２４】
前記ベンドミラー開閉扉用の回転軸５７の中央部６０は方形に形成してあり、この方形軸の平面部６５に前記ベンドミラー開閉扉５の一端部５’がボルト６７で締結してある。また、前記軸受箱の一方の軸受箱５１Ｒには、前記ベアリング５５の外輪を押さえるベアリング押さえ６９が設けてある。このベアリング押さえ６９は、軸受箱５１Ｒに設けた押さえねじ７１とロックナット７３によって固定してある。なお、前記回転軸５７とベアリング５５との嵌合は締まり嵌めとなっていて実施例では約２０ｋｇｆの予圧荷重が付与されている。
【００２５】
上記構成により、前記ベンドミラー開閉扉５は前記回転軸５７を軸に回動させることが可能である。すなわち、ベンドミラー開閉扉５に装着されたベンドミラー９は、前記ベンドミラー取付け基板３に対する位置関係を非常に精密に保持した状態で開閉することが可能である。
【００２６】
次に、ベンドミラー開閉扉５の係止機構７４について図１、図２および図５とを適宜参照しながら説明する。前記ベンドミラー開閉扉５の開閉側の端部に、端部に向かって開放したＵ「字」状の係合溝７５を適宜に離隔して設けると共に、前記ベンドミラー取付け基板３にはこの係合溝７５に合わせた位置にそれぞれ長穴７７を設けてある。
【００２７】
また、ベンドミラー取付け基板３の裏面に、すなわちベンドミラー９の鏡面４７側の面に、前記ベンドミラー開閉扉用の回転軸５７に平行な係止部材回転軸７９を回動自在に軸支する軸受け箱８１をボルト８３により取付けてある。そして、前記係止部材回転軸７９には、前記長穴７７を挿通して前記ベンドミラー取付け基板３の係合溝７５に係脱可能の係止部材として６角穴付きボルト８５が取付てある。
【００２８】
上記構成において、前記ベンドミラー開閉扉５をベンドミラー取付け基板３に対して開く場合は、ボルト８５を６角レンチなどを用いて緩め、ベンドミラー開閉扉５との係合を解除して、図５に示されるている位置まで係止部材回転軸７９を回転させることによりベンドミラー開閉扉５を開くことができる。
【００２９】
また、前記ベンドミラー保持体７にはベンドミラー９を冷却するための冷却液循環路８７が設けてある。なお冷却液循環路８７の加工時に使用した不要な穴はプラグ８９で封止してある。更に、ベンドミラ−の清掃または交換などの作業を安全にするために、ベンドミラー開閉扉５を開いたことを検出するリミットスイッチなどの検出器９１と被検出体９３とをベンドミラー開閉扉５の開閉部の側面位置に設けてある。
【００３０】
【発明の効果】
本発明のレーザー加工装置のベンドミラー装置は上述の構成としたので、請求項１または請求項２に記載の発明によれば、ベンドミラーを装着したベンドミラー開閉扉の開閉動作をベンドミラー開閉扉用の回転軸を軸として精密に行わせることができる。その結果ベンドミラーの清掃または交換作業を容易に行うことが可能である。
【００３１】
また、請求項３に記載の発明によれば、ベンドミラー保持体に装着したベンドミラーの方向を精密に調整することが可能である。
【図面の簡単な説明】
【図１】本発明に係わるレーザー加工装置のベンドミラー装置の実施例の正面図。
【図２】本発明に係わるレーザー加工装置のベンドミラー装置の実施例の右側面図。
【図３】図１のＩＩＩ−ＩＩＩ線に沿って断面した下面図。
【図４】図１をＩＶ−ＩＶ線に沿って断面した断面図。
【図５】図１のＶ−Ｖ線に沿って断面した左側断面図である。
【符号の説明】
１  ベンドミラー装置
３  ベンドミラー取付け基板
５  ベンドミラー開閉扉
７  ベンドミラー保持体７
９  ベンドミラー
１１  ベンドミラー保持リング
１３  環状の爪
１５  小径段部
１６  大径段部
１７  ベンドミラー保持リングのねじ穴
１９  ボルト取付け穴
２１  ボルト
２３  圧縮スプリング
２５  ベンドミラー保持体の取付機構
２７  ベンドミラーが露出可能な開口
２９  ベンドミラー取付穴
３１  シールリング
３３  ショルダーボルト取付用ねじ穴
３５  ショルダーボルト取付け穴
３７  ショルダーボルト
３９  圧縮スプリング
４１  ベンドミラー保持体の位置調整ねじ
４３  溝
４５  緩み止めねじ
４７  鏡面
４９  当て板
５１（Ｌ，Ｒ）  軸受け箱
５７  開閉扉用回転軸
７４  係止機構
７５  係合溝
７９  係止部材回転軸
８５  係止部材
【図１】
0003590136.tif 000002
【図２】
0003590136.tif 000003
【図３】
0003590136.tif 000004
【図４】
0003590136.tif 000005
【図５】
0003590136.tif 000006